(57)【特許請求の範囲】
【請求項１】
着用者の腹側から股間部を介して背側に延びる前後方向に対応する縦方向とこれに直交する横方向とを有すると共に、着用時に該股間部に配され、該股間部における排泄部に対向配置される排泄部対向部を有する股下部と、該股下部よりも着用者の腹側に配される前方部と、該股下部よりも着用者の背側に配される後方部とを縦方向に有し、経血を吸収可能な吸収体と、該吸収体の肌対向面側に配され着用時に着用者の肌と接触し得る表面シートとを構成部材として具備する吸収性物品であって、
前記表面シートの非肌対向面側表層部及びそれよりも着用者の肌から遠い位置に配された前記吸収性物品の構成部材のうちの少なくとも１個に、血球凝集剤が含有されており、
前記排泄部対向部は非圧縮領域であり、
前記吸収体の前記排泄部対向部に位置しない部位に、意図的に圧縮がなされた部位であって、該吸収体の該排泄部対向部に位置する部位に比して密度の高い高密度部が形成されており、且つ該高密度部の単位面積当たりの数が相対的に少ない高密度部低分布領域と、該高密度部の単位面積当たりの数が相対的に多い高密度部高分布領域とが存在し、
前記高密度部低分布領域は、前記股下部並びに前記前方部の該股下部寄りの部分及び前記後方部の該股下部寄りの部分に位置している吸収性物品。
【請求項２】
前記吸収体の前記排泄部対向部に位置しない部位においては、前記高密度部と該高密度部に比して密度の低い低密度部とが一方向に交互に配されるパターンで形成されている請求項１に記載の吸収性物品。
【請求項３】
前記パターンが千鳥状パターンである請求項２に記載の吸収性物品。
【請求項４】
前記高密度部は、前記吸収性物品を横方向に二分して縦方向に延びる仮想中央線を基準として対称に形成されている請求項２又は３に記載の吸収性物品。
【請求項５】
前記高密度部は、前記排泄部対向部を挟んで縦方向の前後に形成されている請求項１〜４の何れか１項に記載の吸収性物品。
【請求項６】
前記血球凝集剤の重量平均分子量が２０００以上３０００万以下である請求項１〜５の何れか１項に記載の吸収性物品。
【請求項７】
前記血球凝集剤は、前記排泄部対向部から該排泄部対向部以外の部位にわたって存している請求項１〜６の何れか１項に記載の吸収性物品。
【発明の詳細な説明】
【技術分野】
【０００１】
本発明は、経血の吸収に用いられる女性用吸収性物品として有用な吸収性物品に関する。
【背景技術】
【０００２】
生理用ナプキン、パンティライナなどの女性用吸収性物品には経血の吸収性能が高く、表面シート上に排泄された経血を速やかに物品内部の吸収体に吸収することが望まれる。しかしながら月経時の経血は、使い捨ておむつの主たる吸収対象である尿などに比して高粘度であるため吸収され難く、特に粘度の高い経血は吸収されずに表面シート上に残存し、経血の漏れを誘発することがある。
【０００３】
経血の吸収性能に関する技術に関し、血液に反応させる流体処理剤を吸収性物品に適用して、該吸収性物品の経血の吸収性能を向上させる技術が知られている。例えば特許文献１には、血液中の赤血球を塊状にするか、又は溶解する処理剤で処理された多孔性不織ウエブ材料を含む、ナプキンやタンポンなどのパーソナルケア吸収性物品が記載されている。同文献においては、この処理剤として、強く正帯電したポリマーであるポリカチオン材料を用いている。この処理剤は、血液が吸収性物品に入り込むときや通過するときに、血液中の赤血球を凝集又は溶解させる。また特許文献２には、無水マレイン酸基を有するコポリマーを含む血液ゲル化剤が適用されたナプキン、特許文献３には、銅、鉄等の金属塩化合物又はシリカ等の無機化合物を血液凝固剤として用いた吸収性物品がそれぞれ記載されている。これらの血液処理剤は、特許文献１〜３に記載されているように通常、吸収性物品において表面シート又はそれよりも着用者の肌から遠い部材、例えば吸収体などに適用される。
【０００４】
また、吸収性物品にエンボス加工などの圧縮加工によって高密度部を形成することで、吸収した排泄液の防漏性の向上、厚みの薄型化による着用感の改善、吸収性物品の着用中における変形の制御などが可能となる。特許文献４及び５には、斯かる目的で表面シート側に高密度部が形成された吸収性物品が記載されている。
【０００５】
また、圧縮加工による高密度部の形成パターンは種々あり、例えば特許文献４には、平面視において、円形状又は楕円形状のエンボス凹部を千鳥状パターンの他、矩形状又は菱形状の目を持つ格子状パターン、六角形の目を持つハニカム状パターンなどが記載され、また特許文献５には、曲線状の圧搾条溝と点状の圧搾部との組み合わせパターンが記載されている。また一般に、圧縮加工による高密度部は、圧縮加工が施されていない部位に比して硬く肌触りが良くないため、肌触りが特に重視される部位、例えば着用者の排泄部に配される排泄部対向部には形成しないのが通常であり、特許文献４及び５に記載の吸収性物品においてもそのようになされている。
【先行技術文献】
【特許文献】
【０００６】
【特許文献１】特表２００２−５２８２３２号公報
【特許文献２】特開昭５７−１５３６４８号公報
【特許文献３】特開２００５−２８７９９７号公報
【特許文献４】特開２００３−３３３９７号公報
【特許文献５】特開２０１０−１４８７０８号公報
【発明の概要】
【発明が解決しようとする課題】
【０００７】
吸収性物品の経血の吸収性能の向上に有用な血液処理剤の中には、塗布された場合に硬い被膜を形成することがあることを本発明者らは見出した。そして本発明者らは、そのような性質を有する血液処理剤を、吸収性物品の構成部材に塗布すると、その塗布部分が硬化することに起因して、吸収性物品の着用中における変形の制御が困難となり、肌当たりが悪化するという問題があることも見出した。例えば、生理用ナプキンにおける吸収体やその周辺の構成部材に血液処理剤が塗布されてそれらが硬化すると、該ナプキンの着用中に着用者の身体の動きに起因して該ナプキンに外力がかかったときに、意図せぬ部位で該ナプキンが折れて想定外の変形が起こるおそれがあり、着用感の低下や漏れの原因となる。このような、血液改質処理剤に起因する吸収性物品の着用中における変形の制御は、特許文献１〜５の何れにも記載されていない。
【０００８】
本発明の課題は、経血の吸収性能に優れ、且つ肌当たりが良好で着用感に優れる吸収性物品を提供することに関する。
【課題を解決するための手段】
【０００９】
本発明は、着用者の腹側から股間部を介して背側に延びる前後方向に対応する縦方向とこれに直交する横方向とを有すると共に、着用時に該股間部に配され、該股間部における排泄部に対向配置される排泄部対向部を有する股下部と、該股下部よりも着用者の腹側に配される前方部と、該股下部よりも着用者の背側に配される後方部とを縦方向に有し、経血を吸収可能な吸収体と、該吸収体の肌対向面側に配され着用時に着用者の肌と接触し得る表面シートとを構成部材として具備する吸収性物品であって、前記表面シートの非肌対向面側表層部及びそれよりも着用者の肌から遠い位置に配された前記吸収性物品の構成部材のうちの少なくとも１個に、血球凝集剤が含有されており、前記吸収体の前記排泄部対向部に位置しない部位に、該吸収体の排泄部対向部に位置する部位に比して密度の高い高密度部が形成されている吸収性物品を提供するものである。
【発明の効果】
【００１０】
本発明によれば、経血の吸収性能に優れ、且つ肌当たりが良好で着用感に優れる吸収性物品が提供される。
【図面の簡単な説明】
【００１１】
【図１】図１は、本発明の吸収性物品の一実施形態である生理用ナプキンの肌対向面側（表面シート側）を示す平面図である。
【図２】図２は、図１のＩ−Ｉ線断面を模式的に示す断面図である。
【図３】図３（ａ）〜図３（ｅ）は、それぞれ、本発明に係る高密度部のパターンを模式的に示す平面図である。
【図４】図４は、本発明の吸収性物品における経血の吸収機構を示す模式図である。
【図５】図５（ａ）及び図５（ｂ）は、従来の吸収性物品における経血の吸収機構を示す模式図である。
【発明を実施するための形態】
【００１２】
以下、本発明の吸収性物品をその好ましい実施形態に基づき図面を参照して説明する。図１及び図２は、本発明の吸収性物品の一実施形態である生理用ナプキン１が示されている。ナプキン１は、図１に示すように、着用者の腹側から股間部を介して背側に延びる前後方向に対応する縦方向Ｘとこれに直交する横方向Ｙとを有すると共に、着用時に該股間部に配され、該股間部における膣口等の排泄部に対向配置される排泄部対向部Ｂ１を有する股下部Ｂと、該股下部Ｂよりも着用者の腹側即ち前側に配される前方部Ａと、該股下部Ｂよりも着用者の背側即ち後側に配される後方部Ｃとを縦方向Ｘに有し、経血を吸収可能な吸収体４と、該吸収体４の肌対向面側に配され着用時に着用者の肌と接触し得る表面シ
ート２とを構成部材として具備する。
【００１３】
本明細書において、「肌対向面」は、吸収性物品又は吸収体４などの構成部材における、吸収性物品の着用時に着用者の肌側に向けられる面、即ち相対的に着用者の肌に近い側であり、「非肌対向面」は、吸収性物品又はその構成部材における、吸収性物品の着用時に肌側とは反対側、即ち相対的に着用者の肌から遠い側に向けられる面である。尚、ここでいう「着用時」は、通常の適正な着用位置、即ち当該吸収性物品の正しい着用位置が維持された状態を意味し、吸収性物品が該着用位置からずれた状態にある場合は含まない。
【００１４】
ナプキン１は、図１及び図２に示すように、肌対向面を形成する表面シート２、非肌対向面を形成する裏面シート３、及び両シート２，３間に介在された吸収体４を具備する吸収性本体５を備えている。吸収性本体５は、縦方向Ｘにおいて着用者の腹側から順に、前方部Ａ、股下部Ｂ及び後方部Ｃの３つの領域に区分される。縦方向Ｘは、ナプキン１及び吸収性本体５の長手方向に一致し、横方向Ｙは、ナプキン１及び吸収性本体５の長手方向に直交する幅方向に一致する。
【００１５】
図２に示すように、表面シート２は、吸収体４の肌対向面の全域を被覆し、さらに吸収体４の縦方向Ｘに沿う両側縁から横方向Ｙの外方に延出している。一方、裏面シート３は、吸収体４の非肌対向面の全域を被覆し、さらに吸収体４の縦方向Ｘに沿う両側縁から横方向Ｙの外方に延出し、表面シート２の吸収体４の両側縁からの延出部よりもさらに横方向Ｙの外方位置にて、後述するサイドシート６と共にサイドフラップ部５Ｓを形成している。裏面シート３とサイドシート６とは、吸収体４の縦方向Ｘに沿う両側縁からの延出部において、接着剤、ヒートシール、超音波シール等の公知の接合手段によって互いに接合されている。また、表面シート２及び裏面シート３は、吸収体４の縦方向Ｘの両端からの延出部において、公知の接合手段によって互いに接合されている。表面シート２及び裏面シート３それぞれと吸収体４との間は接着剤によって接合されていても良い。表面シート２、裏面シート３としては、生理用ナプキン等の吸収性物品に従来使用されている各種のもの等を特に制限なく用いることができる。例えば、表面シート２としては、単層又は多層構造の不織布や、開孔フィルム等を用いることができる。裏面シート３としては、透湿性の樹脂フィルム等を用いることができる。
【００１６】
表面シート２は、肌当接面側に中実又は中空の凸部を有する凹凸を有するものであっても良く、また構成繊維の表面に油剤が付着しているものであっても良い。表面シート２は、その全体が親水性であることが好ましく、少なくとも、後述する血球凝集剤の配置部と表面シート２における後述する溝７，８の形成部位とが平面視において重なっている重複部位が親水性であることが好ましい。表面シート２の少なくとも斯かる重複部位が親水性であると、親水性である経血が吸収体４内を拡散する際に、血球凝集剤の配置部の一部又は全体に重なっている溝７，８においても経血を効率よく拡散することができる。尚、後述するように血球凝集剤は、表面シート２に含有される場合と、表面シート２よりも着用者の肌から遠い位置に配された構成部材（例えば後述するコアラップシート４１）に含有される場合とがあるところ、前記「血液凝集剤の配置部」には、これら両方の場合が含まれる。表面シート２の全体又は一部を親水性とする方法としては、その親水性の部分に親水性不織布を用いる方法が挙げられる。この親水性不織布としては例えば、木材パルプ繊維、レーヨン繊維、コットン繊維、酢酸セルロース繊維等のセルロース系繊維を主たる構成繊維とする不織布；ポリエチレン、ポリプロピレン等のポリオレフィン系繊維、ポリエステル、ポリアミド等の縮合系繊維等の合成繊維を親水性油剤で親水化した繊維を主たる構成繊維とする不織布が挙げられる。
【００１７】
吸収体４は、図２に示すように、液保持性の吸収性コア４０と、該吸収性コア４０の肌対向面を被覆するコアラップシート４１を含んで構成されている。吸収性コア４０は、図
１に示す如き平面視において、縦方向Ｘに長い略矩形形状をなしている。コアラップシート４１は、吸収性コア４０の横方向Ｙの長さの２倍以上３倍以下の幅を有する１枚の連続した液透過性シートであり、図２に示すように、吸収性コア４０の肌対向面の全域を被覆し、且つ吸収性コア４０の縦方向Ｘに沿う両側縁から横方向Ｙの外方に延出し、その延出部が、吸収性コア４０の下方に巻き下げられて、吸収性コア４０の非肌対向面の全域を被覆している。尚、コアラップシートはこのような１枚のシートでなくても良く、例えば、吸収性コア４０の肌対向面を被覆する１枚の肌側コアラップシートと、該肌側コアラップシートとは別体で、吸収性コア４０の非肌対向面を被覆する１枚の非肌側コアラップシートとを含んで構成されていても良い。
【００１８】
吸収性コア４０は、親水性繊維、高吸収性ポリマーなどの吸収性材料が積繊されてなる繊維集合体であり、公知の積繊装置を用いて常法に従って製造することができる。吸収性コア４０の主体をなす親水性繊維としては、疎水性の繊維を親水化処理したものと、それ自体が親水性であるものが挙げられ、これらの１種を単独で又は２種以上を組み合わせて用いることができる。特に、それ自体が親水性で且つ保水性を有するものが好ましい。後者の親水性繊維としては、天然系の繊維、セルロース系の再生繊維又は半合成繊維が好ましい例として挙げられる。親水性繊維としては、特にパルプ、レーヨンが好ましく、パルプが一層好ましい。パルプには、針葉樹クラフトパルプ、広葉樹クラフトパルプなどの木材パルプの他に、木綿パルプ、藁パルプなどの非木材パルプなどがあるが、特に制限されない。また、セルロース繊維の分子内及び／又は分子間を架橋させた架橋セルロース繊維、木材パルプをマーセル化処理して得られるような嵩高性のセルロース繊維を用いても良い。
【００１９】
吸収性コア４０は、親水性繊維に加えてさらに高吸収性ポリマーを含有していても良い。吸収性コア４０に含有される高吸収性ポリマーとしては、一般に粒子状のものが用いられるが、繊維状のものでも良い。粒子状の高吸収性ポリマーを用いる場合、その形状は球状、塊状、俵状又は不定形のいずれでも良い。高吸収性ポリマーとしては、一般に、アクリル酸又はアクリル酸アルカリ金属塩の重合物又は共重合物を用いることができる。その例としては、ポリアクリル酸及びその塩並びにポリメタクリル酸及びその塩が挙げられる。ポリアクリル酸塩やポリメタクリル酸塩としては、ナトリウム塩を好ましく用いることができる。また、アクリル酸又はメタクリル酸にマレイン酸、イタコン酸、アクリルアミド、２−アクリルアミド−２−メチルプロパンスルホン酸、２−（メタ）アクリロイルエタンスルホン酸、２−ヒドロキシエチル（メタ）アクリレート又はスチレンスルホン酸等のコモノマーを高吸収性ポリマーの性能を低下させない範囲で共重合させた共重合物も用いることができる。吸収性コア４０に吸水性ポリマーが含有されることで、より安定的に大量の血液などの排泄液を素早く吸収し、保持することができる。また、吸収性コア４０には、消臭剤や抗菌剤等を必要に応じて配合しても良い。
【００２０】
吸収性本体５の肌対向面即ち表面シート２の肌対向面における縦方向Ｘに沿う両側部には、平面視において吸収体４の縦方向Ｘに沿う左右両側部に重なるように、一対のサイドシート６，６が吸収性本体５の縦方向Ｘの略全長に亘って配されている。一対のサイドシート６，６は、それぞれ縦方向Ｘに延びる図示しない接合線にて、公知の接合手段によって表面シート２に接合されている。
【００２１】
ナプキン１は、吸収性本体５に加えてさらに、吸収性本体５における排泄部対向部Ｂ１の縦方向Ｘに沿う両側部それぞれから横方向Ｙの外方に延出する一対のウイング部５Ｗ，５Ｗを有している。
【００２２】
尚、本発明の吸収性物品において、股下部Ｂは、図１に示すナプキン１のようにウイング部５Ｗを有する場合には、吸収性物品の長手方向に対応する縦方向Ｘ（図中のＸ方向）
において一方のウイング部５Ｗの縦方向Ｘに沿う付け根と他方のウイング部５Ｗの縦方向Ｘに沿う付け根とに挟まれた領域を意味する。ウイング部を有しない吸収性物品における股下部Ｂは、吸収性物品が３つ折りの個装形態に折り畳まれた際に生じる、該吸収性物品を吸収性物品の幅方向に対応する横方向Ｙ（図中のＹ方向）に横断する２本の折り曲げ線（図示せず）について、該吸収性物品の縦方向Ｘの前端から数えて第１折り曲げ線と第２折り曲げ線とに囲まれた領域を意味する。
【００２３】
排泄部対向部Ｂ１は、吸収性本体５の股下部Ｂの一部であり、ナプキン１の着用の際には、着用者における膣口等の排泄部に対向配置される部位である。図１中、股下部Ｂにおいて点線で囲まれた平面視矩形状の領域が排泄部対向部Ｂ１である。排泄部対向部Ｂ１の位置や大きさは、吸収性物品の種類や着用者の体型などによって変動するが、排泄部対向部Ｂ１は通常、股下部Ｂの横方向Ｙの中央部に位置する。例えば、ウイング部を有する吸収性物品の排泄部対向部Ｂ１は、ウイング部５Ｗを有するナプキン１を例にとると、前方部Ａと股下部Ｂとの境界、即ちウイング部５Ｗの縦方向Ｘにおける前方部Ａ側の付け根から後方部Ｃに向かって縦方向Ｘに延びる長さ４ｃｍの一対の長辺と、横方向Ｙに延び且つ横方向Ｙの中心を基準として対称的に形成されている長さ２ｃｍの一対の短辺とで画成された、平面視矩形形状の領域と定義できる。
【００２４】
またナプキン１は、吸収性本体５に加えてさらに、吸収性本体５における後方部Ｃの縦方向Ｘに沿う両側部それぞれから横方向Ｙの外方に延出する一対の後方フラップ部５Ｆ，５Ｆとを有している。このような、後方フラップ部を有する生理用ナプキンは、就寝時等に長時間使用するのに適しており、夜用の生理用ナプキンとして特に有用である。夜用のナプキンとしては、縦方向Ｘの全長が３０ｃｍ以上のものが好適であり、特に３５ｃｍ以上のものが好ましい。但し、本発明の吸収性物品には、後方フラップ部を有しないものも含まれる。
【００２５】
サイドフラップ部５Ｓは、図２に示すように、股下部Ｂにおいて横方向Ｙの外方に向かって大きく張り出しており、これにより吸収性本体５の縦方向Ｘに沿う左右両側に、一対のウイング部５Ｗ，５Ｗが延設されている。ウイング部５Ｗは、図１に示す如き平面視において、下底（上底よりも長い辺）が吸収性本体５の側部側に位置する略台形形状を有しており、その非肌対向面には、該ウイング部５Ｗをショーツ等の着衣に固定するウイング部粘着部（図示せず）が形成されている。ウイング部５Ｗは、ショーツ等の着衣のクロッチ部の非肌対向面（外面）側に折り返されて用いられる。また、サイドフラップ部５Ｓは、後方部Ｃにおいても横方向Ｙの外方に向かって大きく張り出しており、これにより吸収性本体５の縦方向Ｘに沿う左右両側に、一対の後方フラップ部５Ｆ，５Ｆが延設されている。後方フラップ部５Ｆは、これを着衣に固定する際に折り返されず、その非肌対向面が広げられた吸収性本体５の側方に延ばされた状態で、その非肌対向面に形成された後方粘着部（図示せず）を介して、着衣の肌対向面（内面）に固定される。前記ウイング部粘着部及び前記後方粘着部は、その使用前においてはフィルム、不織布、紙等からなる剥離シート（図示せず）によって被覆されている。
【００２６】
吸収性本体５の肌対向面即ち表面シート２の肌対向面には、表面シート２及び吸収体４が裏面シート３側に向かって一体的に凹陥してなる溝７，８が形成されている。溝７は、排泄部対向部Ｂ１の略全域を包囲する閉じた環状をなし、前方部Ａの股下部Ｂ寄りの部分から後方部Ｃの股下部Ｂ寄りの部分にかけて縦方向Ｘに延びている。溝８は、溝７を包囲する閉じた環状をなし、前方部Ａから後方部Ｃにかけて縦方向Ｘに伸びている。溝７，８は、それぞれ、ナプキン１を横方向Ｙに二分して縦方向Ｘに延びる仮想中央線ＶＬを基準として対称に形成されている。溝７，８は、熱を伴うか又は伴わない圧搾加工、あるいは超音波エンボス等のエンボス加工により常法に従って形成することができる。溝７，８においては、表面シート２及び吸収体４が熱融着等により一体化している。溝７，８の主た
る役割は、吸収体４の平面方向の液の拡散抑制、吸収体４のヨレ防止などである。ナプキン１では、溝７，８ともに、後述する高密度部１０を除く吸収体４の部分よりも高密度になっている。
【００２７】
本実施形態のナプキン１の主たる特徴の１つとして、１）表面シート２の非肌対向面側表層部及びそれよりも着用者の肌から遠い位置に配されたナプキン１の構成部材のうちの少なくとも１個に、血球凝集剤が含有されている点と、２）吸収体４の排泄部対向部Ｂ１に位置しない部位に、吸収体４の排泄部対向部Ｂ１に位置する部位に比して密度の高い高密度部１０が形成されている点、とが挙げられる。前記１）は主として、ナプキン１の経血の吸収性能の向上に関わる特徴部分であり、前記２）は主として、前記１）の採用に起因する不都合を解消し、ナプキン１の着用感の向上に関わる特徴部分である。本発明において「血球凝集剤」とは、血液中の赤血球を凝集させることができる剤を意味し、より具体的には、後述する定義に当てはまる化合物である。
【００２８】
前記１）を採用し、表面シート２の非肌対向面側表層部を含んでそれよりも着用者の肌から遠い構成部材、例えばコアラップシート４１における吸収性コア４０の肌対向面を被覆する部分（以下、肌側コアラップシートともいう）の全域に血球凝集剤を含有させた場合、該血球凝集剤の作用により、該肌側コアラップシートを透過した経血中に赤血球の凝集塊が生成されるため、吸収性コア４０に高吸収性ポリマーが含まれる場合には、赤血球による高吸収性ポリマーの吸収阻害が抑制されることに起因して、高吸収性ポリマーの液吸収性能が高まってナプキン１の経血の吸収性能が一層向上し得る。しかしその反面、血球凝集剤が塗布された肌側コアラップシートは、血球凝集剤に起因する被膜形成等により本来の柔軟性が失われ、全体的に硬くなることがある。ここで、肌側コアラップシートが本来の柔軟性を有している場合には、ナプキン１の着用者の歩行時などにおいて着用者の身体の動きに起因してナプキン１に外力がかかったときに、その外力に対してナプキン１が適切な形態に変形するため、着用感の低下が抑制されるのであるが、肌側コアラップシートが硬くなっている場合には、斯かる外力に対して意図せぬ部位でナプキン１が折れ曲がり変形するおそれがあり、不都合が生じる。特に、着用者の最もデリケートな部分である排泄部に対向配置される排泄部対向部が、ナプキン着用中に折れたりよれたりすると、肌当たりが悪くなる。
【００２９】
そこで本発明者は前記２）を採用したのである。前記２）の採用の狙いは、ナプキン１の着用中において、血球凝集剤の使用により、肌側コアラップシートが硬くなっている場合には、意図せぬ部位での変形の制御を、積極的に可撓軸・変形起点を作ることによって修正することにある。即ち図１に示すように、吸収体４の排泄部対向部Ｂ１に位置しない部位に、吸収体４の排泄部対向部Ｂ１に位置する部位に比して密度の高い高密度部１０を形成しておくと、ナプキン１がその着用中に外力を受けた場合に高密度部１０又はその近傍が折れの起点となりやすいため、着用中におけるナプキン１の変形は、排泄部対向部Ｂ１以外の部位での折れを起点とする適切なものとなり、排泄部対向部Ｂ１での意図しない折れが効果的に防止され、着用感の向上に繋がるのである。
【００３０】
本実施形態における高密度部１０は、図１及び図２に示すように、表面シート２側に開放された形状を有する窪み部であり、表面シート２側から圧搾されたすり鉢状ないし円筒状の形状を有し、平面視において円形状である。高密度部１０は、意図的に圧縮がなされた部位であり、熱を伴うか又は伴わない圧搾加工、あるいは超音波エンボス等のエンボス加工により常法に従って形成することができる。高密度部１０においては、表面シート２及び吸収体４が裏面シート３側に向かって一体的に凹陥している。高密度部１０が熱を伴うエンボス加工によって形成された場合などは、高密度部１０においては表面シート２及び吸収体４が熱融着等により一体化し得る。
【００３１】
本実施形態のナプキン１においては、図１に示すように、排泄部対向部Ｂ１以外の部位における吸収体４（吸収性コア４０）の配置領域に、高密度部１０が散点状に多数形成されている。排泄部対向部Ｂ１即ち非圧縮領域は、高密度部１０が形成された圧縮領域に包囲されている。
【００３２】
また本実施形態のナプキン１においては、図１に示すように、吸収体４の排泄部対向部Ｂ１に位置しない部位においては、高密度部１０と、高密度部１０に比して密度の低い低密度部とが、一方向に交互に配されるパターンで形成されている。ここでいう「低密度部」とは、エンボス加工などの意図的な圧縮が施されていない非圧縮部であり、高密度部の非配置部という言い方もでき、意図的な圧縮が施された高密度部１０に比して密度が低い。
【００３３】
前記パターンの典型的なものは千鳥状パターンである。本実施形態のナプキン１においては、高密度部１０は千鳥状パターンで形成されている。即ち、吸収体４の排泄部対向部Ｂ１に位置しない部位においては、複数の高密度部１０が縦方向Ｘに所定間隔を置いて直線的に列状に配置されてなる高密度部１０の縦列が、横方向Ｙに複数列配置され、且つ縦方向Ｘにおいて、隣在する該高密度部１０の縦列どうしで互いに高密度部１０がずれている。
【００３４】
また本実施形態のナプキン１においては、高密度部１０は図１に示すように、仮想中央線ＶＬを基準として対称に形成されている。斯かる構成により、ナプキン１全体として均一に柔軟性が高まり、意図せぬ部位での変形を抑制することができ、ナプキン１の着用中における変形の制御をより適切に行うことにより身体への追従性が高まり、漏れの防止が可能となる。
【００３５】
また本実施形態のナプキン１においては、図１に示すように、吸収体４の排泄部対向部Ｂ１に位置しない部位に、高密度部１０の単位面積当たりの数が相対的に少ない高密度部低分布領域１０Ｌと、高密度部１０の単位面積当たりの数が相対的に多い高密度部高分布領域１０Ｈとが存在する。高密度部低分布領域１０Ｌは、排泄部対向部Ｂ１に隣接して配されており、股下部Ｂ並びに前方部Ａの股下部Ｂ寄りの部分及び後方部Ｃの股下部Ｂ寄りの部分に位置し、排泄部対向部Ｂ１を包囲している。一方、高密度部高分布領域１０Ｈは、高密度部低分布領域１０Ｌよりも排泄部対向部Ｂ１から遠い位置に配されており、より具体的には、前方部Ａ及び後方部Ｃそれぞれにおいて高密度部低分布領域１０Ｌに隣接して配されている。このように、排泄部対向部Ｂ１から相対的に近い領域は高密度部１０の単位面積当たりの数が少なく、排泄部対向部Ｂ１から相対的に遠い領域は高密度部１０の単位面積当たりの数が多くなされていることにより、排泄部対向部Ｂ１以外の部位でナプキン１の折れが優先して発生し、ナプキン１の着用中における変形の制御をより適切に行うことが可能となる。
【００３６】
また本実施形態のナプキン１においては、図１に示すように、高密度部１０は、排泄部対向部Ｂ１を挟んで縦方向Ｘの前後に形成されている。斯かる構成により、排泄部対向部Ｂ１以外の部位でナプキン１の折れが優先して発生し、ナプキン１の着用中における変形の制御をより適切に行うことが可能となる。
【００３７】
前述した高密度部１０による作用効果をより確実に奏させるようにする観点から、高密度部１０の寸法等は次のように設定することが好ましい。
高密度部１０の平面視における面積の大きさは、好ましくは０．１９ｍｍ２以上、さらに好ましくは０．５０ｍｍ２以上、そして、好ましくは２００ｍｍ２以下、更に好ましくは１５０ｍｍ２以下である。具体的には、高密度部１０の大きさは、好ましくは０．１９ｍｍ２以上２００ｍｍ２以下、さらに好ましくは０．５０ｍｍ２以上１５０ｍｍ２以下で
ある。
また、高密度部１０が、後述する図３（ａ）に示すような平面視円形状の場合、その直径は、好ましくは０．５ｍｍ以上、さらに好ましくは１．０ｍｍ以上、そして、好ましくは１５．０ｍｍ以下、さらに好ましくは１２．０ｍｍ以下である。尚、ここでいう高密度部１０の直径とは、高密度部１０が平面視円形状でない場合には、平面視における最大長さを意味する。例えば高密度部１０が平面視楕円形状の場合は、その楕円形の長軸の長さが前記範囲にあることが好ましい。
隣り合う高密度部１０，１０それぞれの中心点間の最短距離は、好ましくは０．５ｍｍ以上、さらに好ましくは１．０ｍｍ以上、そして、好ましくは１５．０ｍｍ以下、さらに好ましくは１２．０ｍｍ以下である。
尚、後述する図３（ｂ）に示すように、複数の平面視線状の高密度部１０Ａが互いに交差しないパターンで配されている場合には、隣り合う線状の高密度部１０Ａ，１０Ａそれぞれの中心点間の最短距離が前記範囲にあることが好ましい。また、後述する図３（ｃ）〜図３（ｅ）に示すように、複数の平面視線状の高密度部１０Ｂ，１０Ｃ，１０Ｄが互いに交差又は連結するパターンで配されている場合には、それらの高密度部の交点又は連結点に着目して、隣り合う交点又は連結点間の最短距離が前記範囲にあることが好ましい。
【００３８】
排泄部対向部Ｂ１に位置しない高密度部１０の分布領域の密度は、好ましくは０．１００ｇ／ｃｍ３以上、さらに好ましくは０．１５０ｇ／ｃｍ３以上、そして、好ましくは０．８００ｇ／ｍ３以下、さらに好ましくは／０．７５０ｇ／ｍ３以下である。
低密度部即ち高密度部１０の非配置領域の密度は、好ましくは０．０１ｇ／ｍ３以上、さらに好ましくは０．０２ｇ／ｍ３以上、そして、好ましくは０．０９ｇ／ｃｍ３以下、さらに好ましくは０．０８ｇ／ｃｍ３以下である。
【００３９】
高密度部１０の単位面積当たりの数は、該単位面積を一辺１ｃｍの平面視正方形形状の領域の面積とした場合に、好ましくは１個以上、さらに好ましくは２個以上、そして、好ましくは３０個以下、さらに好ましくは２５個以下である。
高密度部低分布領域１０Ｌにおける高密度部１０の単位面積当たりの数と、高密度部高分布領域１０Ｈにおける高密度部１０の単位面積当たりの数との比率は、前者／後者として、好ましくは０．０３以上、さらに好ましくは０．０５  以上、そして、好ましくは０．７０以下、さらに好ましくは０．６７以下である。
【００４０】
図３には、本発明に適用可能な高密度部のパターンが例示されている。図３に示すパターンは何れも、高密度部（圧縮部、窪み部）と低密度部（非圧縮部）とが一方向に交互に配されるパターンである。
図３（ａ）は、図１及び図２に示すナプキン１に適用されているパターンであり、平面視円形状の高密度部１０が千鳥状パターンで形成されている。各高密度部１０は、その平面視円形状の全体が表面シート２側から圧縮されて周辺に比して高密度となっている。
図３（ｂ）は、平面視線状の高密度部１０Ａが千鳥状に形成されたパターンであり、各高密度部１０Ａは横方向Ｙに延びる直線状をなしている。
図３（ｃ）は、互いに交差する直線状の高密度部１０Ｂが平面視菱形状の目を持つ格子状に形成されたパターンであり、高密度部１０Ｂは、縦方向Ｘ及び横方向Ｙの両方向と交差する方向に延びる２種類の直線部分を含んで構成されている。この場合、各格子の辺について前述した高密度部の大きさ又は直径の好ましい範囲が適用される。
図３（ｄ）は、互いに交差する直線状の高密度部１０Ｃが平面視正方形状又は矩形状の目を持つ格子状に形成されたパターンであり、高密度部１０Ｃは、縦方向Ｘに延びる直線部分と横方向Ｙに延びる直線部分とを含んで構成されている。この場合、各四角形の辺について前述した高密度部の大きさ又は直径の好ましい範囲が適用される。
図３（ｅ）は、直線状又は屈曲線状の複数の高密度部１０Ｄが六角形の目を持つ格子状に連結して形成されたいわゆるハニカム状パターンである。この場合、各六角形の辺につ
いて前述した高密度部の大きさ又は直径の好ましい範囲が適用される。
図３（ｃ）〜図３（ｅ）に示すパターンにおいて、格子の目に当たる部分は何れも低密度部（非圧縮部）である。
【００４１】
前述した通り、本発明の吸収性物品においては、表面シートの非肌対向面側表層部及びそれよりも着用者の肌から遠い位置に配された吸収性物品の構成部材のうちの少なくとも１個に、血球凝集剤が含有されている。ここでいう「表面シートの非肌対向面側表層部」とは、表面シートの非肌対向面（図２に示すナプキン１においてはコアラップシート４１との対向面）から厚み方向に該表面シートの最大厚みの２０％以内の領域を意味する。またここでいう、「表面シートの非肌対向面側表層部よりも着用者の肌から遠い位置に配された吸収性物品の構成部材」とは、例えば図１及び図２に示すナプキン１であれば、吸収体４即ちコアラップシート４１及び吸収性コア４０並びに裏面シート３であり、これら３個の構成部材４０，４１，３の少なくとも１個に血球凝集剤が含有されていれば良い。本発明において、表面シートにおける非肌対向面側表層部以外の部位に血球凝集剤を含有させない理由は、血球凝集剤の肌への付着を防ぐためである。
【００４２】
図１及び図２に示すナプキン１において、血球凝集剤が含有される構成部材として特に好適なものは、コアラップシート４１である。コアラップシート４１の全体に血球凝集剤を含有させても構わないが、ナプキン１において、血球凝集剤が特に有効に活用される位置は、高吸収性ポリマーを含む構成部材よりも着用者の肌に近い位置であるから、この点を考慮すると、コアラップシート４１における吸収性コア４０の肌対向面を被覆する部分（肌側コアラップシート）に血球凝集剤を含有させることが好ましい。
【００４３】
また、コアラップシートなどの吸収性物品の構成部材における血球凝集剤の存在位置は特に制限されず、構成部材の全体に均一に含有させても良く、構成部材の一部に選択的に含有させても良いが、血球凝集剤による作用効果を活用して経血の吸収性能を有意に向上させる観点から、少なくとも、経血等の排泄液が集中する排泄部対向部Ｂ１及びその周辺に血球凝集剤を含有させることが好ましく、特に構成部材の肌対向面の全域、とりわけ構成部材全体に含有させることが好ましい。例えばナプキン１であれば、コアラップシート４１における吸収性コア４０の肌対向面を被覆する部分の全体に血球凝集剤を含有させた形態が好ましい。
【００４４】
このように、経血の吸収性能の向上の観点からは、「血球凝集剤は排泄部対向部Ｂ１から排泄部対向部Ｂ１以外の部位にわたって存している形態」が好ましいと言えるが、斯かる形態を採用すると、血球凝集剤が付与された構成部材例えばコアラップシート４１自体が硬くなることに起因して、排泄部対向部Ｂ１での意図しない折れの発生が懸念される。しかしながら前述した通り、本実施形態のナプキン１においては、排泄部対向部Ｂ１以外の部位に高密度部１０が所定のパターンで形成されているため、斯かる懸念が払拭されている。
【００４５】
血球凝集剤が含有される構成部材（例えばコアラップシート４１）における血球凝集剤の含有量は、好ましくは０．１ｇ／ｍ２以上、さらに好ましくは０．５ｇ／ｍ２以上、より好ましくは１．５ｇ／ｍ２以上、そして、好ましくは２５ｇ／ｍ２以下、さらに好ましくは１５ｇ／ｍ２以下、より好ましくは１０ｇ／ｍ２以下である。
【００４６】
吸収性物品の構成部材のうちの少なくとも１個に血球凝集剤を含有する方法としては、特に制限されないが、例えば、血球凝集剤が後述するカチオン性ポリマーを含む場合は、該血球凝集剤を、水、エタノール及びこれらの混合液等の適宜の溶媒に溶解させ、血球凝集剤溶液として、構成部材の所望の箇所に付着させた後、乾燥して溶媒を除去することが、血球凝集剤の配置部において血液球凝集剤を均一に配置させる点から好ましい。血球凝
集剤溶液を構成部材に付着させる方法としては、例えば、構成部材の所定箇所への血球凝集剤溶液の滴下、スプレーなどによる噴霧、ディッピング法、転写法、ダイ塗工、グラビア塗工、インクジェット法、スクリーン印刷法等の公知の液体塗工装置を用いた塗工等が挙げられる。また、血球凝集剤溶液付着後の乾燥は、加熱による乾燥、減圧による乾燥、加熱と減圧とを組み合わせた乾燥等の強制乾燥の何れでも良く、これらの強制乾燥に代えて自然乾燥でも良い。
【００４７】
以下、本発明で用いる血球凝集剤について説明する。本発明で用いる血球凝集剤とは、血液中の赤血球を凝集させ、血球が凝集した凝集塊と血漿成分が分離されるよう作用するものである。  望ましい血球凝集剤としては、例えば以下の性質を有するものが挙げられる。
即ち、擬似血液に、測定サンプル剤を１０００ｐｐｍ添加した際に、血液の流動性が維持された状態で、少なくとも２個以上の赤血球が凝集して凝集塊を形成するものである。
前記擬似血液は、Ｂ型粘度計（東機産業株式会社製  型番ＴＶＢ−１０Ｍ、測定条件：ローターＮｏ．１９、３０ｒｐｍ、２５℃、６０秒間）を用いて測定した粘度が８ｍＰａ・ｓになるように、脱繊維馬血（株式会社日本バイオテスト研究所製）の血球・血漿比率を調製したものである。
【００４８】
ここで、「血液の流動性が維持された状態」とは、測定サンプル剤が１０００ｐｐｍ添加された前記擬似血液１０ｇをスクリュー管瓶（マルエム社製  品番「スクリュー管Ｎｏ．４」，口内径１４．５ｍｍ，胴径２７ｍｍ，全長５５ｍｍ）に入れ、該擬似血液を入れたスクリュー管瓶を１８０度反転した際に、２０秒以内で６０％以上の体積の該擬似経血が流れ落ちる状態を意味する。
また、「２個以上の赤血球が凝集して凝集塊を形成」しているか否かは、次のようにして判断される。即ち、測定サンプル剤が１０００ｐｐｍ添加された前記擬似血液を、生理食塩水で４０００倍に希釈し、レーザー回折／散乱式粒度分布測定装置（ＨＯＲＩＢＡ社製  型番：ＬＡ−９５０Ｖ２，測定条件：フロー式セル測定，循環速度１，超音波なし）を用いたレーザー回折散乱法によって、温度２５℃にて測定した体積粒径平均のメジアン径が、２個以上の赤血球が凝集した凝集塊のサイズに相当する１０μｍ以上である場合に、「２個以上の赤血球が凝集して凝集塊を形成」を形成していると判断する。
【００４９】
本発明で用いる血球凝集剤は、前記定義に当てはまる単一の化合物又はその組み合わせ、さらには複数の化合物の組み合わせによって前記定義を満たす（赤血球の凝集を発現し得る）剤である。つまり、血球凝集剤とは、あくまで前記定義によるところの血球凝集作用があるものに限定した剤のことである。従って、血球凝集剤に、前記定義に当てはまらない第三成分を含む場合には、それを血球凝集剤組成物と表現し、血球凝集剤と区別する。尚、ここでいう「単一の化合物」とは、同じ組成式を有するが、繰り返し単位数が異なることにより、分子量が異なる化合物を含める概念である。
【００５０】
一般に、高吸収性ポリマーによる水分の吸収速度や吸収量は、水分の種類によって異なり、生理食塩水と血液とを比較すると、生理食塩水よりも血液の方が吸収速度が遅く、また吸収量も少ない。この理由を本発明者が種々検討したところ、以下に述べる事実が判明した。血液は血漿等の液体成分と赤血球等の非液体成分に大別されるところ、高吸収性ポリマーに吸収される成分は血漿等の液体成分である。図５（ａ）に示す通り、経血１１が高吸収性ポリマー１４に接触すると、経血１１中の液体成分１２のみが高吸収性ポリマー１４に吸収され、非液体成分１３である赤血球は高吸収性ポリマー１４に吸収されない。高吸収性ポリマー１４への液体成分１２の吸収が進行すると、図５（ｂ）に示す通り、高吸収性ポリマー１４に吸収されない非液体成分１３が、高吸収性ポリマー１４の表面に蓄積して被膜１５を形成する。この被膜１５の形成に起因して、高吸収性ポリマー１４の液吸収阻害が生じ、吸収速度が低下する。また被膜１５の形成に起因して、高吸収性ポリマ
ー１４の膨潤阻害も生じ、吸収量が低下する。
【００５１】
図５（ｂ）に示す通りの現象が生じることを防止して、吸収性能の低下を阻止するための手段について本発明者が種々検討した結果、経血中の非液体成分の大半を占める成分である赤血球を、図４に示す通り凝集させて凝集塊１６を生成させることが効果的であることが判明した。赤血球の凝集塊１６を生成させることで、凝集塊１６の被膜が生成しづらくなり、又は、凝集塊１６によって図５（ｂ）に示す如き被膜１５が生成したとしても、その被膜１５内に液体成分１２が透過できる空間が残存するため、液体成分１２の吸収阻害が起こりづらくなる。その結果、高吸収性ポリマー１４は、本来の吸収性能を十分に発揮することができる。このように吸収性能をより高めるために、赤血球の凝集塊粒径が大きいほど好ましく、凝集塊硬さが硬いほど好ましい。ここで、吸収性能は、吸収量及び吸収速度を尺度として表される。吸収量は、吸収前の高吸収性ポリマー１４の体積と、吸収後の高吸収性ポリマー１４の体積との比、つまり後述する体積膨潤倍率として表すことができる。また、吸収速度は、高吸収性ポリマー１４の体積膨潤倍率の経時における傾きとして表すことができる。
【００５２】
そして、本発明の吸収性物品において、経血中に赤血球の凝集塊を生成させる役割を果たすのが血球凝集剤である。本発明者の知見によれば、血球凝集剤としてはカチオン性ポリマーが有用であり、その理由は次の通りである。赤血球はその表面に赤血球膜を有する。赤血球膜は、２層構造を有している。この２層構造は、下層である赤血球膜骨格と上層である脂質皮膜からなる。赤血球の表面に露出している脂質皮膜には、グリコホリンと呼ばれるタンパク質が含まれている。グリコホリンはその末端にシアル酸と呼ばれるアニオン電荷を帯びた糖が結合した糖鎖を有している。その結果、赤血球はアニオン電荷を帯びたコロイド粒子として扱うことができる。コロイド粒子の凝集には一般に凝集剤が用いられる。赤血球がアニオン性のコロイド粒子であることを考慮すると、凝集剤としてはカチオン性の物質を用いることが、赤血球の電気二重層を中和する点から有利である。また凝集剤が高分子鎖を有していると、赤血球の表面に吸着した凝集剤の高分子鎖どうしの絡み合いが生じやすくなり、そのことに起因して赤血球の凝集が促進される。さらに、凝集剤が官能基を有している場合には、該官能基間の相互作用によっても赤血球の凝集が促進されるので好ましい。血球凝集剤（カチオン性ポリマー）によれば、以上の作用機序によって経血中に赤血球の凝集塊を生成することが可能になる。
【００５３】
本発明で用いる血球凝集剤としては、カチオン性ポリマーが好適である。カチオン性ポリマーとしては、例えばカチオン化セルロースや、塩化ヒドロキシプロピルトリモニウムデンプン等のカチオン化デンプンなどが挙げられる。また、本発明で用いる血球凝集剤は、カチオン性ポリマーとして、第４級アンモニウム塩ホモポリマー、第４級アンモニウム塩共重合物又は第４級アンモニウム塩重縮合物を含むこともできる。本発明において「第４級アンモニウム塩」とは、窒素原子の位置にプラス一価の電荷を有している化合物、又は中和によって窒素原子の位置にプラス一価の電荷を生じさせる化合物を包含し、その具体例としては、第４級アンモニウムカチオンの塩、第３級アミンの中和塩、及び水溶液中でカチオンを帯びる第３級アミンが挙げられる。以下に述べる「第４級アンモニウム部位」も同様の意味で用いられ、水中で正に帯電する部位である。また、本発明において「共重合物」とは、２種以上の重合性単量体の共重合によって得られた重合物のことであり、二元系共重合物及び三元系以上の共重合物の双方を包含する。本発明において「重縮合物」とは、２種以上の単量体からなる縮合物を重合することで得られた重縮合物である。
【００５４】
本発明で用いる血球凝集剤が、カチオン性ポリマーとして、第４級アンモニウム塩ホモポリマー及び／又は第４級アンモニウム塩共重合物及び／又は第４級アンモニウム塩重縮合物を含む場合、該血球凝集剤は、第４級アンモニウム塩ホモポリマー、第４級アンモニウム塩共重合物及び第４級アンモニウム塩重縮合物のうちのいずれか１種を含んでいても
良く、あるいは任意の２種以上の組み合わせを含んでいても良い。また第４級アンモニウム塩ホモポリマーは、１種を単独で又は２種以上を組み合わせて用いることができる。同様に、第４級アンモニウム塩共重合物は、１種を単独で又は２種以上を組み合わせて用いることができる。さらに同様に、第４級アンモニウム塩重縮合物は、１種を単独で又は２種以上を組み合わせて用いることができる。
【００５５】
前述した各種のカチオン性ポリマーのうち、特に、第４級アンモニウム塩ホモポリマー、第４級アンモニウム塩共重合物又は第４級アンモニウム塩重縮合物を用いることが、赤血球への吸着性の点から好ましい。以下の説明においては、簡便のため、第４級アンモニウム塩ホモポリマー、第４級アンモニウム塩共重合物及び第４級アンモニウム塩重縮合物を総称して「第４級アンモニウム塩ポリマー」と言う。
【００５６】
赤血球の凝集塊を効果的に生成させる観点から、血球凝集剤として用いるカチオン性ポリマーは、その分子量が２０００以上であることが好ましく、１万以上であることがさらに好ましく、１５万以上であることが一層好ましい。カチオン性ポリマーの分子量がこれらの値以上であることによって、赤血球間でのカチオン性ポリマーどうしの絡み合いや、赤血球間でのカチオン性ポリマーの架橋が十分に生じる。特に、分子量が１５万以上であると高吸収性ポリマーの液吸収性能が高まるので一層好ましい。分子量の上限値は３０００万以下であることが好ましく、２２００万以下であることがさらに好ましく、１０００万以下であることが一層好ましい。カチオン性ポリマーの分子量がこれらの値以下であることによって、カチオン性ポリマーが経血中へ良好に溶解する。カチオン性ポリマーの分子量は、２０００以上１０００万以下であることが好ましく、２０００以上３０００万以下であることがさらに好ましく、１万以上３０００万以下であることがさらに好ましい。また、カチオン性ポリマーが経血中へ良好に溶解し、赤血球の凝集塊が生成され、吸収性コア４０に含まれる高吸収性ポリマーの液吸収性能が高まって、ナプキン１の経血の吸収性能が高まる、というメカニズムをより確実に発現させる観点から、カチオン性ポリマー分子量は、１万以上２２００万以下であることが好ましく、１万以上２２００万以下であることがさらに好ましく、３万以上１０００万以下であることが特に好ましい。本発明に言う分子量とは、重量平均分子量のことである。また、前述の分子量範囲内で、異なる分子量のカチオン性ポリマーを２種以上組み合わせても良い。カチオン性ポリマーの分子量は、その重合条件を適切に選択することで制御することができる。カチオン性ポリマーの分子量は、東ソー株式会社製のＨＬＣ−８３２０ＧＰＣを用いて測定することができる。具体的な測定条件は次の通りである。
【００５７】
カラムとしては、東ソー株式会社製のガードカラムαと分析カラムα−Ｍを直列でつないだものを、カラム温度：４０℃で用いる。検出器は、ＲＩ（屈折率）を用いる。測定サンプルとしては、溶離液１ｍＬに対して１ｍｇの測定対象の処理剤（第４級アンモニウム塩ポリマー）を溶解させる。ヒドロキシエチルメタクリレートなどの水溶性重合性単量体を含む共重合体は、水に１５０ｍｍｏｌ／Ｌの硫酸ナトリウムと１質量％の酢酸を溶解させた溶離液を用いる。ヒドロキシエチルメタクリレートなどの水溶性重合性単量体を含む共重合体は、溶離液１０ｍＬに対して、分子量５９００のプルラン、分子量４７３００のプルラン、分子量２１．２万のプルラン、分子量７８．８万のプルラン、各２．５ｍｇ溶解させたプルラン混合物を、分子量標準として用いる。ヒドロキシエチルメタクリレートなどの水溶性重合性単量体を含む共重合体は流速：１．０ｍＬ／ｍｉｎ、注入量：１００μＬで測定する。ヒドロキシエチルメタクリレートなどの水溶性重合性単量体を含む共重合体以外は、エタノール：水＝３：７（体積比）に５０ｍｍｏｌ／Ｌの臭化リチウムと１質量％の酢酸を溶解させた溶離液を用いる。ヒドロキシエチルメタクリレートなどの水溶性重合性単量体を含む共重合体以外は、溶離液２０ｍＬに対して、分子量１０６のポリエチレングリコール（ＰＥＧ）、分子量４００のＰＥＧ、分子量１４７０のＰＥＧ、分子量６４５０のＰＥＧ、分子量５万のポリエチレンオキシド（ＰＥＯ）、分子量２３．５万の
ＰＥＯ、分子量８７．５万のＰＥＯ、各１０ｍｇ溶解させたＰＥＧ−ＰＥＯ混合物を、分子量標準として用いる。ヒドロキシエチルメタクリレートなどの水溶性重合性単量体を含む共重合体以外は流速：０．６ｍＬ／ｍｉｎ、注入量：１００μＬで測定する。
【００５８】
赤血球の凝集塊を一層効果的に生成させる観点から、カチオン性ポリマーとして第４級アンモニウム塩ポリマーを用いる場合、該第４級アンモニウム塩ポリマーは、その流動電位が１５００μｅｑ／Ｌ以上であることが好ましく、２０００μｅｑ／Ｌ以上であることがさらに好ましく、３０００μｅｑ／Ｌ以上であることが一層好ましく、４０００μｅｑ／Ｌ以上であることがさらに一層好ましい。第４級アンモニウム塩ポリマーの流動電位がこれらの値以上であることによって、赤血球の電気二重層を十分に中和することができる。流動電位の上限値は１３０００μｅｑ／Ｌ以下であることが好ましく、８０００μｅｑ／Ｌ以下であることがさらに好ましく、６０００μｅｑ／Ｌ以下であることが一層好ましい。第４級アンモニウム塩ポリマーの流動電位がこれらの値以下であることによって、赤血球に吸着した第４級アンモニウム塩ポリマーどうしの電気的反発を効果的に防止することができる。第４級アンモニウム塩ポリマーの流動電位は、１５００μｅｑ／Ｌ以上１３０００μｅｑ／Ｌ以下であることが好ましく、２０００μｅｑ／Ｌ以上１３０００μｅｑ／Ｌ以下であることがさらに好ましく、３０００μｅｑ／Ｌ以上８０００μｅｑ／Ｌ以下であることが一層好ましく、４０００μｅｑ／Ｌ以上６０００μｅｑ／Ｌ以下であることがさらに一層好ましい。
【００５９】
第４級アンモニウム塩ポリマーの流動電位は、例えば構成しているカチオン性モノマー自体の分子量、共重合体を構成しているカチオン性モノマーとアニオン性モノマー又はノニオン性モノマーの共重合モル比を調整することで制御することができる。第４級アンモニウム塩ポリマーの流動電位は、スペクトリス株式会社製の流動電位測定器（ＰＣＤ０４）を用いて測定することができる。具体的な測定条件は次の通りである。まず市販のナプキンに対して、ドライヤーなどを用いて各部材を接着しているホットメルトを無効化し、表面シート、吸収体、裏面シートなどの部材に分解する。分解した各部材に対して、非極性溶媒から極性溶媒までの多段階溶媒抽出法を行い、各部材に用いられている処理剤を分離し、単一の組成物を含んだ溶液を得る。得られた溶液を乾燥・固化させ、１Ｈ−ＮＭＲ（核磁気共鳴法）、ＩＲ（赤外分光法）、ＬＣ（液体クロマトグラフィ）、ＧＣ（ガスクロマトグラフィ）、ＭＳ（質量分析法）、ＧＰＣ（ゲルパーミエーションクロマトグラフィ）、蛍光Ｘ線などを複合して、処理剤の構造を同定する。測定対象の処理剤（第４級アンモニウム塩ポリマー）０．００１ｇを生理食塩水１０ｇに溶解させた測定サンプルに対して、０．００１Ｎのポリエチレンスルホン酸ナトリウム水溶液（測定サンプルが負電荷を有する場合は、０．００１Ｎのポリジアリルジメチルアンモニウムクロライド水溶液）を滴定し、電極間の電位差がなくなるまでに要した滴定量ＸｍＬを測定する。その後、下記式１により第４級アンモニウム塩ポリマーの流動電位を算出する。
流動電位  ＝  （Ｘ＋０．１９０※）×１０００  ・・・  式１
（※ 溶媒の生理食塩水に要した滴定量）
【００６０】
カチオン性ポリマーが、赤血球の表面に首尾よく吸着するためには、該カチオン性ポリマーが、赤血球の表面に存在しているシアル酸と相互作用しやすいことが有利である。この観点から本発明者が検討を推し進めたところ、物質の無機性値と有機性値との比率である無機性値／有機性値の値（以下「ＩＯＢ（Ｉｎｏｒｇａｎｉｃ  Ｏｒｇａｎｉｃ  Ｂａｌａｎｃｅ）値」という。）を尺度として、シアル酸結合物とカチオン性ポリマーとの相互作用の程度を評価できることが判明した。詳細には、カチオン性ポリマーとして、シアル酸結合物のＩＯＢ値と同じか、それに近似した値のＩＯＢ値を有するものを用いることが有利であることが判明した。シアル酸結合物とは、生体内でシアル酸が存在し得る形態となっている化合物のことであり、例えばガラクト脂質などの糖脂質の末端にシアル酸が結合している化合物などが挙げられる。
【００６１】
一般に、物質の性状は、分子間の各種分子間力に大きく支配され、この分子間力は主に分子質量によるVan Der Waals力と、分子の極性による電気的親和力からなっている。物
質の性質の変化に対して大きな影響を与えるVan Der Waals力と、電気的親和力のそれぞ
れを個別に把握することができれば、その組み合わせから未知の物質、あるいはそれらの混合物についてもその性状を予測することができる。この考え方は、「有機概念図論」として良く知られている理論である。有機概念図論は、例えば藤田穆著の「有機分析」（カニヤ書店、昭和５年）、藤田穆著の「有機定性分析：系統的．純粋物編」（共立出版、１９５３年）、藤田穆著の「改編 化学実験学−有機化学編」（河出書房、１９７１年）、
藤田穆・赤塚政実著の「系統的有機定性分析（混合物編）」（風間書房、１９７４年）、及び甲田善生・佐藤四郎・本間善夫著の「新版 有機概念図 基礎と応用」（三共出版、２００８年）等に詳述されている。有機概念図論では、物質の物理化学的物性について、主にVan Der Waals力による物性の程度を「有機性」と呼び、また主に電気的親和力による
物性の程度を「無機性」と呼び、物質の物性を「有機性」と「無機性」の組み合わせでとらえている。そして、炭素（Ｃ）１個を有機性２０と定義し、それに対して各種極性基の無機性及び有機性の値を、以下の表１に記載のとおり定め、無機性値の和と有機性値の和を求め、両者の比をＩＯＢ値と定義している。本発明においては、これらの有機性値及び無機性値に基づき、上述したシアル酸結合物のＩＯＢ値を決定し、その値に基づきカチオン性ポリマーのＩＯＢ値を決定する。
【００６２】
【表１】
0006762142.tif 000002
【００６３】
具体的には、カチオン性ポリマーがホモポリマーである場合、該ホモポリマーの繰り返し単位に基づき無機性値及び有機性値を決定し、ＩＯＢ値を算出する。例えば後述する実施例１で用いているカチオン性ポリマーであるポリジアリルジメチルアンモニウムクロライド（日本ルーブリゾール社製の商品名「マーコート１０６」）の場合、−Ｃ−×８＝１６０の有機性値と、Ammo and NH4 salt×１＝４００の無機性値と、Ring(non-aromatic single ring)×１＝１０の無機性値と、−Ｃｌ×１＝４０の有機性値及び１０の無機性値
とを有することから、無機性値の合計は４００＋１０＋１０＝４２０となり、有機性値の合計は１６０＋４０＝２００となる。したがってＩＯＢ値は４２０／２００＝２．１０となる。
【００６４】
一方、カチオン性ポリマーが共重合物である場合には、共重合に用いられるモノマーのモル比に応じて以下の手順でＩＯＢ値を算出する。すなわち、共重合物がモノマーＡとモノマーＢとから得られ、モノマーＡの有機性値がＯＲＡで、無機性値がＩＮＡであり、モノマーＢの有機性値がＯＲＢで、無機性値がＩＮＢであり、モノマーＡ／モノマーＢのモル比がＭＡ／ＭＢである場合、共重合物のＩＯＢ値は以下の式から算出される。
【００６５】
【数１】
0006762142.tif 000003
【００６６】
このようにして決定されたカチオン性ポリマーのＩＯＢ値は、０．６以上であることが好ましく、１．８以上であることがより好ましく、２．１以上であることがさらに好ましく、２．２以上であることが一層好ましい。また、カチオン性ポリマーのＩＯＢ値は、４．６以下であることが好ましく、３．６以下であることがさらに好ましく、３．０以下であることが一層好ましい。具体的には、カチオン性ポリマーのＩＯＢ値は、０．６以上４．６以下であることが好ましく、１．８以上３．６以下であることがより好ましく、２．１以上３．６以下であることがさらに好ましく、２．２以上３．０以下であることが一層好ましい。なお、シアル酸のＩＯＢ値は、シアル酸単体で４．２５であり、シアル酸結合体で３．８９である。前記シアル酸結合物とは、糖脂質における糖鎖とシアル酸が結合したものであり、シアル酸結合体は、シアル酸単体よりも有機性値の割合が高くなり、ＩＯＢ値は低くなる。
【００６７】
カチオン性ポリマーのＩＯＢ値は前述の通りであるところ、有機性値そのものは４０以上であることが好ましく、１００以上であることがさらに好ましく、１３０以上であることが一層好ましい。また、３１０以下であることが好ましく、２５０以下であることがより好ましく、２４０以下であることがさらに好ましく、１９０以下であることが一層好ましい。例えば有機性値は、４０以上３１０以下であることが好ましく、４０以上２５０以下であることがより好ましく、１００以上２４０以下であることがさらに好ましく、１３０以上１９０以下であることが一層好ましい。カチオン性ポリマーの有機性値をこの範囲に設定することで、該カチオン性ポリマーが赤血球に一層首尾よく吸着するようになる。
【００６８】
一方、カチオン性ポリマーの無機性値に関しては、７０以上であることが好ましく、９０以上であることがさらに好ましく、１００以上であることが一層好ましく、１２０以上であることがさらに一層好ましく、２５０以上であることが特に好ましい。また、７９０以下であることが好ましく、７５０以下であることがさらに好ましく、７００以下であることが一層好ましく、６８０以下であることがさらに一層好ましく、４９０以下であることが特に好ましい。例えば無機性値は、７０以上７９０以下であることが好ましく、９０以上７５０以下であることがさらに好ましく、９０以上６８０以下であることが一層好ましく、１２０以上６８０以下であることがさらに一層好ましく、２５０以上４９０以下であることが特に好ましい。カチオン性ポリマーの無機性値をこの範囲に設定することで、該カチオン性ポリマーが赤血球に一層首尾よく吸着するようになる。
【００６９】
カチオン性ポリマーを赤血球にさらに一層首尾よく吸着させる観点から、該カチオン性ポリマーの有機性値をｘとし、無機性値をｙとしたとき、ｘとｙが以下の式Ａを満たすことが好ましい。
ｙ＝ａｘ    （Ａ）
前記式Ａ中、ａは０．６６以上であることが好ましく、０．９３以上であることがさら
に好ましく、１．９６以上であることが一層好ましい。また、ａは、４．５６以下あることが好ましく、４．１９以下であることがさらに好ましく、３．５以下であることが一層好ましい。例えばａは、０．６６以上４．５６以下の数であることが好ましく、０．９３以上４．１９以下の数であることがさらに好ましく、１．９６以上３．５以下の数であることが一層好ましい。特に、カチオン性ポリマーの有機性値及び無機性値が前述の範囲内であることを条件として、該カチオン性ポリマーの有機性値及び無機性値が前記式Ａを満たす場合には、該カチオン性ポリマーがシアル酸結合体と相互作用しやすくなり、該カチオン性ポリマーが赤血球にさらに一層吸着しやすくなる。
【００７０】
赤血球の凝集塊を効果的に生成させる観点から、カチオン性ポリマーは水溶性であることが好ましい。本発明において「水溶性」とは、１００ｍＬのガラスビーカー（５ｍｍΦ）に０．０５ｇの１ｍｍ以下の粉末状又は厚み０．５ｍｍ以下のフィルム状カチオン性ポリマーを２５℃の５０ｍＬイオン交換水に添加混合したときに、長さ２０ｍｍ、幅７ｍｍのスターラーチップを入れ、アズワン株式会社製マグネチックスターラーＨＰＳ−１００を用いて６００ｒｐｍ攪拌下、その全量が２４時間以内に水に溶解する性質のことである。尚、本発明において、さらに好ましい溶解性としては、全量が３時間以内に水に溶解することが好ましく、全量が３０分以内に水に溶解することがさらに好ましい。
【００７１】
カチオン性ポリマーは、主鎖とそれに結合した複数の側鎖とを有する構造のものであることが好ましい。特に第４級アンモニウム塩ポリマーは、主鎖とそれに結合した複数の側鎖とを有する構造のものであることが好ましい。第４級アンモニウム部位は側鎖に存在していることが好ましい。この場合、主鎖と側鎖とが１点で結合していると、側鎖の可撓性が阻害されにくくなり、側鎖に存在している第４級アンモニウム部位が赤血球の表面に円滑に吸着するようになる。尤も本発明において、カチオン性ポリマーの主鎖と側鎖とが２点又はそれ以上で結合していることは妨げられない。本発明において「１点で結合している」とは、主鎖を構成する炭素原子のうちの１個が、側鎖の末端に位置する１個の炭素原子と単結合していることをいう。「２点以上で結合している」とは、主鎖を構成する炭素原子のうちの２個以上が、側鎖の末端に位置する２個以上の炭素原子とそれぞれ単結合していることをいう。
【００７２】
カチオン性ポリマーが、主鎖とそれに結合した複数の側鎖とを有する構造のものである場合、例えば第４級アンモニウム塩ポリマーが、主鎖とそれに結合した複数の側鎖とを有する構造のものである場合、各側鎖の炭素数は４以上であることが好ましく、５以上であることがさらに好ましく、６以上であることが一層好ましい。炭素数の上限値は、１０以下であることが好ましく、９以下であることがさらに好ましく、８以下であることが一層好ましい。例えば側鎖の炭素数は４以上１０以下であることが好ましく、５以上９以下であることがさらに好ましく、６以上８以下であることが一層好ましい。側鎖の炭素数とは、該側鎖における第４級アンモニウム部位（カチオン部位）の炭素数のことであり、対イオンであるアニオン中に炭素が含まれているとしても、その炭素は計数に含まない。特に、側鎖の炭素原子のうち、主鎖に結合している炭素原子から、第４級窒素に結合している炭素原子までの炭素数が前述の範囲であることが、第４級アンモニウム塩ポリマーが赤血球の表面の表面に吸着するときの立体障害性が低くなるので好ましい。
【００７３】
第４級アンモニウム塩ポリマーが、第４級アンモニウム塩ホモポリマーである場合、該ホモポリマーとしては、例えば第４級アンモニウム部位又は第３級アミン部位を有するビニル系単量体の重合物が挙げられる。第３級アミン部位を有するビニル系単量体を重合する場合には、重合前に及び／又は重合後に、第３級アミン部位をアルキル化剤によって第４級アンモニウム化した第４級アンモニウム塩ホモポリマーとなるか、重合前に及び／又は重合後に、第３級アミン部位を酸によって中和した第３級アミン中和塩となるか、重合後に水溶液中でカチオンを帯びる第３級アミンとなる。アルキル化剤や酸の例は、前述し
た通りである。
【００７４】
特に第４級アンモニウム塩ホモポリマーは、以下の式１で表される繰り返し単位を有することが好ましい。
【００７５】
【化１】
0006762142.tif 000004
【００７６】
第４級アンモニウム塩ホモポリマーの具体例としては、ポリエチレンイミンなどが挙げられる。また、第４級アンモニウム部位を有する側鎖が、主鎖と１点で結合しているものであるポリ（２−メタクリルオキシエチルジメチルアミン４級塩）、ポリ（２−メタクリルオキシエチルトリメチルアンモニウム塩）、ポリ（２−メタクリルオキシエチルジメチルエチルアンモニウムメチル硫酸塩）、ポリ（２−アクリルオキシエチルジメチルアミン４級塩）、ポリ（２−アクリルオキシエチルトリメチルアミン４級塩）、ポリ（２−アクリルオキシエチルジメチルエチルアンモニウムエチル硫酸塩）、ポリ（３−ジメチルアミノプロピルアクリルアミド４級塩）、ポリメタクル酸ジメチルアミノエチル、ポリアリルアミン塩酸塩、カチオン化セルロース、ポリエチレンイミン、ポリジメチルアミノプロピルアクリルアミド、ポリアミジンなどが挙げられる。一方、第４級アンモニウム部位を有する側鎖が、主鎖と２点以上で結合しているホモポリマーの例としては、ポリジアリルジメチルアンモニウムクロライド、ポリジアリルアミン塩酸塩が挙げられる。
【００７７】
第４級アンモニウム塩ポリマーが、第４級アンモニウム塩共重合物である場合には、該共重合物として、前述した第４級アンモニウム塩ホモポリマーの重合に用いられる重合性単量体を２種以上用い共重合して得られた共重合物を用いることができる。あるいは、第４級アンモニウム塩共重合物として、前述した第４級アンモニウム塩ホモポリマーの重合に用いられる重合性単量体を１種以上と、第４級アンモニウム部位を有さない重合性単量体を１種以上用い共重合して得られた共重合物を用いることができる。さらに、ビニル系重合性単量体に加えて、又はそれに代えて、他の重合性単量体、例えば−ＳＯ2−などを
用いることもできる。第４級アンモニウム塩共重合物は、前述した通り、二元系の共重合物又は三元系以上の共重合物であり得る。
【００７８】
特に、第４級アンモニウム塩共重合物は、前記の式１で表される繰り返し単位と、以下の式２で表される繰り返し単位とを有することが、赤血球の凝集塊を効果的に生成させる観点から好ましい。
【００７９】
【化２】
0006762142.tif 000005
【００８０】
また、第４級アンモニウム部位を有さない重合性単量体としては、カチオン性重合性単量体、アニオン性重合性単量体、又はノニオン性重合性単量体を用いることができる。これらの重合性単量体中で、特にカチオン性重合性単量体又はノニオン性重合性単量体を用いることで、第４級アンモニウム塩共重合物内において第４級アンモニウム部位との電荷相殺が起こらないので、赤血球の凝集を効果的に生じさせることができる。カチオン性重合性単量体の例としては、特定の条件下でカチオンを帯びる窒素原子を有する環状化合物としてビニルピリジンなど、特定の条件下でカチオンを帯びる窒素原子を主鎖に有する直鎖状化合物としてジシアンジアミドとジエチレントリアミンの縮合化合物などが挙げられる。アニオン性重合性単量体の例としては、２−アクリルアミド−２−メチルプロパンスルホン酸、メタクリル酸、アクリル酸、及び、スチレンスルホン酸、並びに、これらの化合物の塩などが挙げられる。一方、ノニオン性重合性単量体の例としては、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレート、メチルメタクリレート、メチルアクリレート、エチルメタクリレート、エチルアクリレート、プロピルメタクリレート、プロピルアクリレート、ブチルメタクリレート、ブチルアクリレートなどが挙げられる。これらカチオン性重合性単量体、アニオン性重合性単量体、又はノニオン性重合性単量体は、それらのうちの一つを用いることができ、あるいは任意の２種以上を組み合わせて用いることができる。またカチオン性重合性単量体を２種以上組み合わせて用いることができ、アニオン性重合性単量体を２種以上組み合わせて用いることができ、あるいはノニオン性重合性単量体を２種以上組み合わせて用いることもできる。カチオン性重合性単量体、アニオン性重合性単量体及び／又はノニオン性重合性単量体を重合性単量体として用いて共重合された第４級アンモニウム塩共重合物は、その分子量が、前述の通り１０００万以下であることが好ましく、特に５００万以下、とりわけ３００万以下であ
ることが好ましい（以下に例示する第４級アンモニウム塩共重合物についても同様である。）。
【００８１】
第４級アンモニウム部位を有さない重合性単量体として、水素結合をすることが可能な官能基を有する重合性単量体を用いることもできる。このような重合性単量体を共重合に用いること、それから得られる第４級アンモニウム塩共重合物を用いて赤血球を凝集させたときに、硬い凝集塊が生じやすくなり、高吸収性ポリマーの吸収性能が一層阻害されにくくなる。水素結合をすることが可能な官能基としては、例えば−ＯＨ、−ＮＨ2、−Ｃ
ＨＯ、−ＣＯＯＨ、−ＨＦ、−ＳＨなどが挙げられる。水素結合をすることが可能な官能基を有する重合性単量体の例としては、ヒドロキシエチルメタクリレート、ビニルアルコール、アクリルアミド、ジメチルアクリルアミド、エチレングリコール、プロピレングリコール、エチレングリコールモノメタクリレート、エチレングリコールモノアクリレート、ヒドロキシエチルメタクリレート、ヒドロキシエチルアクリレートなどが挙げられる。特に、水素結合が強く働く、ヒドロキシエチルメタクリレート、２−ヒドロキシエチルメタクリレート、ヒドロキシエチルアクリレート、ジメチルアクリルアミドなどは、第４級アンモニウム塩ポリマーの赤血球への吸着状態が安定化するので好ましい。これらの重合性単量体は１種を単独で、又は２種以上を組み合わせて用いることができる。
【００８２】
第４級アンモニウム部位を有さない重合性単量体として、疎水性相互作用をすることが可能な官能基を有する重合性単量体を用いることもできる。このような重合性単量体を共重合に用いることで、前述した、水素結合をすることが可能な官能基を有する重合性単量体を用いる場合と同様の有利な効果、すなわち赤血球の硬い凝集塊が生じやすくなるという効果が奏される。疎水性相互作用をすることが可能な官能基としては、例えばメチル基、エチル基、ブチル基等のアルキル基、フェニル基、アルキルナフタレン基、フッ化アルキル基などが挙げられる。疎水性相互作用をすることが可能な官能基を有する重合性単量体の例としては、メチルメタクリレート、メチルアクリレート、エチルメタクリレート、エチルアクリレート、プロピルメタクリレート、プロピルアクリレート、ブチルメタクリレート、ブチルアクリレート、スチレンなどが挙げられる。特に、疎水性相互作用が強く働き、第４級アンモニウム塩ポリマーの溶解性を大きく低下させない、メチルメタクリレート、メチルアクリレート、ブチルメタクリレート、ブチルアクリレートなどは、第４級アンモニウム塩ポリマーの赤血球への吸着状態が安定化するので好ましい。これらの重合性単量体は１種を単独で、又は２種以上を組み合わせて用いることができる。
【００８３】
第４級アンモニウム塩共重合物中での、第４級アンモニウム部位を有する重合性単量体と、第４級アンモニウム部位を有さない重合性単量体とのモル比は、該第４級アンモニウム塩共重合物によって赤血球が十分に凝集するように適切に調整されることが好ましい。特に、第４級アンモニウム塩共重合物における第４級アンモニウム部位を有する重合性単量体のモル比は１０モル％以上であることが好ましく、２２モル％以上であることがさらに好ましく、３２モル％以上であることが一層好ましく、３８モル％以上であることがさらに一層好ましい。また、１００モル％以下であることが好ましく、８０モル％以下であることがさらに好ましく、６５モル％以下であることが一層好ましく、５６モル％以下であることがさらに一層好ましい。具体的には、第４級アンモニウム部位を有する重合性単量体のモル比は１０モル％以上１００モル％以下であることが好ましく、２２モル％以上８０モル％以下であることがさらに好ましく、３２モル％以上６５モル％以下であることがさらに好ましく、３８モル％以上５６モル％以下であることが一層好ましい。
【００８４】
第４級アンモニウム塩ポリマーが、第４級アンモニウム塩重縮合物である場合には、該重縮合物として、前述した第４級アンモニウム部位を有する単量体１種以上からなる縮合物を用い、それらの縮合物を重合することで得られた重縮合物を用いることができる。具体例としては、ジシアンジアミド／ジエチレントリアミン重縮合物、ジメチルアミン／エ
ピクロルヒドリン重縮合物などが挙げられる。
【００８５】
前述した第４級アンモニウム塩ホモポリマー及び第４級アンモニウム塩共重合物は、ビニル系重合性単量体の単独重合法又は共重合法によって得ることができる。重合方法としては、例えばラジカル重合、リビングラジカル重合、リビングカチオン重合、リビングアニオン重合、配位重合、開環重合、重縮合などを用いることができる。重合条件に特に制限はなく、目的とする分子量、流動電位、及び／又はＩＯＢ値を有する第４級アンモニウム塩ポリマーが得られる条件を適切に選択すれば良い。
【００８６】
また、本発明で用いる血球凝集剤は、カチオン性ポリマー以外に、第三成分、例えば、溶媒、可塑剤、香料、抗菌・消臭剤、スキンケア剤等の他の成分を１種以上含んだ組成物（血球凝集剤組成物）の形態であっても良い。溶媒としては、水、炭素数１ないし４の飽和脂肪族一価アルコール等の水溶性有機溶媒、又は該水溶性有機溶媒と水との混合溶媒などを用いることができる。可塑剤としては、グリセリン、ポリエチレングリコール、プロピレングリコール、エチレングリコール、１，３−ブタンジオールなどを用いることができる。香料としては、特許第４７７６４０７号公報に記載されているグリーンハーバル様香気を有する香料、植物の抽出エキス、柑橘類の抽出エキスなどを用いることができる。抗菌・消臭剤としては、特許第４５２６２７１号公報に記載されている抗菌性を有する金属を含むカンクリナイト様鉱物、特許第４５８７９２８号公報に記載されているフェニル基を有する重合性モノマーから重合された多孔性ポリマー、特許第４６５１３９２号公報に記載されている第４級アンモニウム塩、活性炭、粘土鉱物などを用いることができる。スキンケア剤としては、特許第４０８４２７８号公報に記載されている植物エキス、コラーゲン、天然保湿成分、保湿剤、角質柔軟化剤、消炎剤などを用いることができる。
【００８７】
前記血球凝集剤組成物に占めるカチオン性ポリマーの割合は、１質量％以上であることが好ましく、３質量％以上であることがさらに好ましく、５質量％以上であることが一層好ましい。また、５０質量％以下であることが好ましく、３０質量％以下であることがさらに好ましく、１０質量％以下であることが一層好ましい。前記血球凝集剤組成物に占めるカチオン性ポリマーの割合をこの範囲内に設定することで、吸収性物品に有効量のカチオン性ポリマーを付与することができる。
【００８８】
以上、本発明について説明したが、本発明は前述した実施形態に制限されず、本発明の趣旨を逸脱しない範囲で適宜変更可能である。例えば、本発明に係る高密度部は、図３に示す如き、高密度部（圧縮部、窪み部）と低密度部（非圧縮部）とが一方向に交互に配されるパターンで形成されるものに制限されず、排泄部対向部以外の部位における所定領域の全域が高密度部であっても良い。即ち例えば、排泄部対向部以外の部位における吸収体（吸収性コア）の配置領域の全域が高密度部であっても良い。しかしながら、吸収性物品の着用感を考慮すると、図３に示す如き、複数の低密度部が散在するパターンで高密度部合が形成されることが好ましい。
【００８９】
また前記実施形態においては、吸収体が、親水性繊維、高吸収性ポリマーなどの吸収性材料を積繊してなる積繊体から構成されていたが、吸収性シートのみから構成されていても良く、両者を含んで構成されていても良い。ここでいう「吸収性シート」とは、吸収性材料を含むシート状の吸収構造体を意味し、吸収性材料を積繊してなる積繊体とは区別される。また排泄部対向部Ｂ１は、周辺部に比して厚みの厚いいわゆる中高部となっていて、該中高部が着用者の肌側に向けて突出していていも良い。
【００９０】
本発明は、経血の吸収に用いられる物品全般に適用することができる。そのような物品の例としては、前記実施形態の如き生理用ナプキンの他に、パンティライナ及びタンポン等が挙げられるが、それらに限られない。
【００９１】
〔実施例〕
以下、本発明を実施例によりさらに具体的に説明するが、本発明は斯かる実施例に限定されるものではない。尚、実施例１は参考例である。
【００９２】
〔実施例１〕  
図１及び図２に示す生理用ナプキン１と同様の基本構成を有する生理用ナプキンを常法に従って作製した。表面シートとして坪量３０ｇ／ｍ２のエアスルー不織布を用い、裏面シートとして坪量２５ｇ／ｍ２の非透湿ポリエチレンフィルムを用いた。吸収性コアとしては、市販の生理用ナプキン（花王株式会社２０１５年製「ロリエ肌きれいガード２０．５ｃｍ」）からドライヤーを用いて各部材を接着しているホットメルト接着剤を無効化し、分解して取り出したものを用いた。吸収性コアは坪量２９５ｇ／ｍ２であり、高吸収性ポリマーの含有量は５．１質量％、高吸収性ポリマーとしては日本触媒社製のアクアリックＣＡを用いた。吸収性コアを被覆するコアラップシートとしては、坪量１６ｇ／ｍ２のティッシュペーパーを用いた。
コアラップシートにおける吸収性コアの肌対向面を被覆する部分（肌側コアラップシート）の全域に、市販の血球凝集剤の５％水溶液を塗布し乾燥した。血球凝集剤の塗布量は固形分換算で６．０ｇ／ｍ２であった。血球凝集剤としては、日本ルーブリゾール社製の商品名「マーコート１００」（カチオン性ポリマー、重量平均分子量：１５万、ＩＯＢ値２．１０、流動電位７３４５μｅｑ／Ｌ）を用いた。
生理用ナプキンにおける排泄部対向部以外の部位における吸収体（吸収性コア）の配置領域の全域に対し、表面シート側からピンエンボス加工を施して、吸収体が裏面シート側に向かって凹陥してなる平面視円形状の高密度部を所定のパターンで形成した。実施例１の高密度部のパターン等の詳細は下記の通り。
・高密度部１０の平面視形状：直径２．０ｍｍの円形
・高密度部１０のパターン：吸収体４の配置領域における排泄部対向部Ｂ１以外の部位に、仮想中央線ＶＬを基準として左右対称の千鳥状パターンで形成。高密度部１０の中心点間の最短距離５．０ｍｍ。
・高密度部１０の分布領域（吸収体４の配置領域で且つ排泄部対向部Ｂ１以外の領域）の密度：０．６１ｇ／ｃｍ３
・低密度部（高密度部１０の非配置領域、排泄部対向部Ｂ１）の密度：密度０．０５８ｇ／ｃｍ３
・高密度部１０の単位面積（一辺１ｃｍ四方の平面視正方形形状の領域）当たりの数： 
３．０個／ｃｍ２
【００９３】
〔実施例２〕
高密度部を図１と同じパターンで形成した以外は、実施例１と同様にして生理用ナプキンを作製し、これを実施例２のサンプルとした。即ち実施例２においては、股下部Ｂに、高密度部が千鳥状パターンで分布する高密度部低分布領域１０Ｌを形成し、排泄部対向部Ｂ１を挟んで縦方向Ｘの前後に位置する領域である前方部Ａ及び後方部Ｃに、高密度部が千鳥状パターンで分布する高密度部高分布領域１０Ｈを形成した。実施例２の高密度部のパターン等の詳細は下記の通り。
・高密度部１０の平面視形状：直径２．０ｍｍの円形
・高密度部１０のパターン：吸収体４の配置領域における排泄部対向部Ｂ１以外の部位に、仮想中央線ＶＬを基準として左右対称の千鳥状パターンで形成。
高密度部高分布領域１０Ｈにおいては、高密度部１０の中心点間の最短距離５．０ｍｍ、該領域１０Ｈの密度０．６１ｇ／ｃｍ３、高密度部１０の単位面積当たりの数 ３．０
個／ｃｍ２。
高密度部低分布領域１０Ｌにおいては、高密度部１０の中心点間の最短距離１０ｍｍ、該領域１０Ｌの密度０．０５８ｇ／ｃｍ３、高密度部１０の単位面積当たりの数１．０個
／ｃｍ２。
高密度部低分布領域１０Ｌと高密度部高分布領域１０Ｈとの高密度部１０の単位面積当たりの数の比率は、前者／後者として０．３３。
【００９４】
〔比較例１〕
高密度部を形成しなかった以外は、実施例１と同様にして生理用ナプキンを作製し、これを比較例１のサンプルとした。
【００９５】
〔比較例２〕
コアラップシートに血球凝集剤を塗布せず、且つ高密度部を形成しなかった以外は、実施例１と同様にして生理用ナプキンを作製し、これを比較例２のサンプルとした。
【００９６】
〔評価試験〕
各実施例及び比較例の生理用ナプキンについて、下記方法により剛性及び動的最大吸収量をそれぞれ評価した。その結果を下記表２に示す。剛性は、生理用ナプキンの柔軟性の指標となり、動的最大吸収量は、生理用ナプキンの経血吸収性の指標となる。
【００９７】
＜剛性の評価方法＞
評価対象の生理用ナプキンの剛性を、「ＪＩＳ Ｌ １０９６  織物及び編物の生地試験方法」（８．２０．圧縮率および圧縮弾性率  Ｅ法）に記載のハンドルオメーター法に則り、ハンドルオメーターを用いて測定した。試験片は６５ｍｍ×８０ｍｍの平面視長方形形状とし、スリット幅は２０ｍｍにて測定した。測定される押圧の値が小さいほど、当該試験片が柔軟性に優れることを示し、延いては、当該試験片中に血球凝集剤が含有されている場合はその血球凝集剤が、当該試験片の柔軟性を低下させ難いことを示す。
【００９８】
＜動的最大吸収量＞
評価対象の生理用ナプキンを生理用ショーツに固定し、人体の動的モデルに装着した。動的モデルの歩行動作を開始させ、歩行動作開始より１分後に、液排泄点より２ｇの前記擬似血液を注入した（１回目）。さらに１回目の液注入終了より３分後に３ｇの前記擬似血液を注入した（２回目）。さらに２回目の液注入終了より３分後に２ｇの前記擬似血液を注入した（３回目）。３回目以降は、液注入後から３分後に２ｇの前記擬似血液を注入する操作を繰り返し、生理用ナプキンのウイング部から前記擬似血液が染み出した時点で液注入操作を終了し、その時点までに注入した前記擬似血液の総重量を動的最大吸収量とした。動的最大吸収量が多いほど、当該生理用ナプキンが経血吸収性に優れることを示す。
【００９９】
【表２】
0006762142.tif 000006
【０１００】
表２に示す結果によれば、実施例１及び２の生理用ナプキンは、血球凝集剤を含有しない比較例２の生理用ナプキンに比べ、動的最大吸収量が高く、経血吸収性に優れることが判る。また、実施例１及び２の生理用ナプキンは、高密度部が形成されていない比較例１の生理用ナプキンに比べて、剛性が低くなっており、即ち柔軟性に優れることが判る。これらのことから、コアラップシートに血球凝集剤を含有させることによって、吸収性物品の経血吸収性が向上し、また、吸収体の排泄部対向部に位置しない部位に、該吸収体の排泄部対向部に位置する部位に比して密度の高い高密度部を形成することによって、吸収性物品の柔軟性が向上することが判る。
【符号の説明】
【０１０１】
１  生理用ナプキン（吸収性物品）
２  表面シート
３  裏面シート
４  吸収体
４０  吸収性コア
４１  コアラップシート
５  吸収性本体
５Ｆ  後方フラップ部
５Ｓ  サイドフラップ部
５Ｗ  ウイング部
６  サイドシート
７，８  溝
１０，１０Ａ，１０Ｂ，１０Ｃ，１０Ｄ  高密度部（圧縮部）
１０Ｈ  高密度部高分布領域
１０Ｌ  高密度部低分布領域
１１  経血
１２  液体成分
１３  非液体成分
１４  高吸収性ポリマー
１５  被膜
１６  凝集塊
Ａ  前方部
Ｂ  股下部
Ｂ１  排泄部対向部
Ｃ  後方部
【図１】
0006762142.tif 000007
【図２】
0006762142.tif 000008
【図３】
0006762142.tif 000009
【図４】
0006762142.tif 000010
【図５】
0006762142.tif 000011